(57)【要約】【課題】反射型のＨＯＥ２３を用いた構成において、光学瞳Ｅの位置調整を容易に行う。【解決手段】映像観察状態で発光する光における、少なくともいずれかの波長領域において規格化された発光強度ピークの半値波長全幅をΔλViewとし、位置調整状態でのみ発光する光における、上記波長領域において規格化された発光強度ピークの半値波長全幅をΔλAli とすると、少なくともいずれかの波長領域について、ΔλView＜ΔλAli を満足する。例えば、映像観察状態では第１の光源１１ａを点灯し、位置調整状態では発光波長幅のより広い第２の光源１１ｂを追加点灯することで、上記の条件を満足することができる。これにより、ＨＯＥ２３で回折されて光学瞳Ｅに到達する上記波長領域の光の瞳位置での到達面積を、映像観察状態よりも位置調整状態で大きくすることができる。【選択図】図１
2009157026.tif 000002
【特許請求の範囲】
【請求項１】
光源と、
光源からの光を変調して映像を表示する表示素子と、
表示素子からの映像光を回折反射して光学瞳に導く体積位相型の反射型ホログラム光学素子を有する接眼光学系とを備えた映像表示装置であって、
光源は、少なくとも１つの波長領域に発光強度のピークを有しており、
観察者が光学瞳の位置で映像を観察する映像観察状態で発光する光における、少なくともいずれかの波長領域において規格化された発光強度ピークの半値波長全幅をΔλViewとし、光学瞳の位置と観察者の瞳位置とを合わせる位置調整状態でのみ発光する光における、上記波長領域において規格化された発光強度ピークの半値波長全幅をΔλAli とすると、少なくともいずれかの波長領域について、
ΔλView＜ΔλAli 
を満足することを特徴とする映像表示装置。
【請求項２】
少なくともいずれかの波長領域について、
２・ΔλView＜ΔλAli 
を満足することを特徴とする請求項１に記載の映像表示装置。
【請求項３】
少なくともいずれかの波長領域について、ΔλViewの波長範囲は、ΔλAli の波長範囲に含まれていることを特徴とする請求項１または２に記載の映像表示装置。
【請求項４】
光源は、少なくとも緑の波長領域に発光強度のピークを有しており、
少なくとも緑の波長領域について条件を満足することを特徴とする請求項１から３のいずれかに記載の映像表示装置。
【請求項５】
ｎを２以上の整数とすると、
光源は、ｎ個の波長領域に発光強度のピークを有しており、
ｎ−１個以下の波長領域について条件を満足することを特徴とする請求項１から４のいずれかに記載の映像表示装置。
【請求項６】
上記光源は、第１の光源と第２の光源とを有しており、
映像観察状態では、第１の光源を発光させる一方、位置調整状態では、少なくとも第２の光源を発光させることを特徴とする請求項１から５のいずれかに記載の映像表示装置。
【請求項７】
位置調整状態では、第１の光源と第２の光源とを両方とも発光させることを特徴とする請求項６に記載の映像表示装置。
【請求項８】
位置調整状態では、第２の光源のみを発光させることを特徴とする請求項６に記載の映像表示装置。
【請求項９】
第２の光源は、少なくともいずれかの波長領域について、第１の光源の発光強度ピークの波長を挟む２つの波長に発光強度のピークを有する光を発光することを特徴とする請求項６から８のいずれかに記載の映像表示装置。
【請求項１０】
光源が発光する波長領域の一部の光のみを表示素子に導く波長制限フィルタと、
映像観察状態では波長制限フィルタを光源と表示素子との間の光路中に配置する一方、位置調整状態では波長制限フィルタを上記光路中から取り除く駆動部とをさらに備えていることを特徴とする請求項１から５のいずれかに記載の映像表示装置。
【請求項１１】
波長制限フィルタは、体積位相型の反射型ホログラム光学素子で構成されており、
接眼光学系のホログラム光学素子と、波長制限フィルタを構成するホログラム光学素子とは、回折効率のピーク波長が一致していることを特徴とする請求項１０に記載の映像表示装置。
【請求項１２】
接眼光学系のホログラム光学素子は、表示素子からの映像光を回折反射させて光学瞳に導くと同時に、外光を透過させて光学瞳に導くことを特徴とする請求項１から１１のいずれかに記載の映像表示装置。
【請求項１３】
接眼光学系のホログラム光学素子は、光源の発光強度のピーク波長に対応して、少なくとも１つの波長領域に回折効率のピークを有していることを特徴とする請求項１から１２のいずれかに記載の映像表示装置。
【請求項１４】
請求項１から１３のいずれかに記載の映像表示装置と、
上記映像表示装置を観察者の眼前で支持する支持手段とを有していることを特徴とするヘッドマウントディスプレイ。
【請求項１５】
上記支持手段は、接眼光学系の光学瞳の位置を観察者の瞳位置に合わせる位置調整を行った後に、観察者の頭部に対する接眼光学系の相対位置を固定する固定手段を有していることを特徴とする請求項１４に記載のヘッドマウントディスプレイ。
【発明の詳細な説明】
【技術分野】
【０００１】
本発明は、表示素子にて表示された映像を虚像として観察者に提供する映像表示装置と、その映像表示装置を備えたヘッドマウントディスプレイ（以下、ＨＭＤとも称する）とに関するものである。
【背景技術】
【０００２】
従来から、表示素子からの映像光をホログラム光学素子（以下、ＨＯＥとも称する）を介して観察者の瞳に導く映像表示装置が種々提案されている。上記のＨＯＥは、可干渉性を有する２光束でホログラム感光材料を露光することにより作製されるが、例えば特許文献１では、一方の露光光源（点光源）を再生時の光学瞳の位置から離してホログラム感光材料を露光することにより、ＨＯＥを作製している。この手法でＨＯＥを作製した場合、再生時に観察者の瞳が光学瞳の面内でずれたとしても、画角が狭い範囲では、観察方向と露光方向とが一致しているか、または近いため、ＨＯＥにて比較的高い回折効率で回折される映像光を観察者の瞳に入射させることができ、観察者は明るい映像を観察することが可能となる。
【０００３】
しかし、広い画角の両端の観察方向については、露光方向と大きくずれるため、映像光をＨＯＥにて高い回折効率で回折させて観察者の瞳に入射させることができない。その結果、観察者の瞳が光学瞳の面内でどの位置にあっても、観察映像には、画面中心から周辺に向かうに従って暗くなる輝度ムラが発生する。よって、このような観察映像の輝度ムラを低減するためには（画面全体にわたって明るい映像を観察するためには）、どの観察方向についても露光方向と一致させること、つまり、一方の露光光源を再生時の光学瞳の位置（瞳中心）に配置してホログラム感光材料を露光し、ＨＯＥを作製することが必要となる。
【０００４】
【特許文献１】特開２００４−６１７３１号公報
【発明の開示】
【発明が解決しようとする課題】
【０００５】
ところが、露光光源の位置と光学瞳の中心とを一致させて反射型のＨＯＥを作製した場合、反射型のＨＯＥは角度選択性および波長選択性が高いので、観察者の瞳が光学瞳の中心からずれると、観察映像は急激に暗くなる。このため、観察者は最初に光学瞳を探しにくく、観察者の瞳位置と光学瞳の位置とを合わせることが難しい。以下、この点についてより詳細に説明する。
【０００６】
図１５は、露光光源を光学瞳の中心に配置し、製造波長５３２ｎｍの光で露光し、作製した反射型ＨＯＥの回折効率の波長特性を示している。なお、同図中のｙの値（ｍｍ）は、光学瞳の瞳面とＨＯＥの光軸入射面との交線上での瞳中心（ｙ＝０）からのずれを示している。なお、上記の光軸入射面とは、ＨＯＥにおける入射光の光軸と反射光の光軸とを含む平面を指す。
【０００７】
同図より、露光光源の配置位置（すなわちｙ＝０）に到達する光線のＨＯＥでの回折効率は、再生波長が製造波長と同じ５３２ｎｍのときに最大である。製造波長からずれた波長で再生したときには、ブラッグの条件式に従って、光学瞳面上での光の到達位置が変化する。
【０００８】
また、図１６は、５３２ｎｍを発光主波長とする照明光源（ＬＥＤ）の発光特性を示しており、図１７は、光学瞳面での照度分布を示している。再生時における光学瞳面での照度は、照明光源の発光特性（発光強度）と、ＨＯＥの回折効率との積で決まる。つまり、例えば、図１６に示す発光特性を有する照明光源を再生時に用いた場合、光学瞳面での照度は、図１７に示すように、露光光源が置かれた位置（すなわちｙ＝０）において照度が最大となり、瞳中心からずれるに従って、照度が小さくなっていく。このことから、映像観察時に観察者の瞳が光学瞳の中心からずれると、観察映像が急激に暗くなることがわかる。したがって、観察者は最初に光学瞳を探しにくく、観察者の瞳位置と光学瞳の位置とを合わせることが困難となる。
【０００９】
本発明は、上記の問題点を解決するためになされたものであって、その目的は、反射型のＨＯＥを用いた構成において、光学瞳の位置調整を容易に行うことができる映像表示装置と、その映像表示装置を備えたＨＭＤとを提供することにある。
【課題を解決するための手段】
【００１０】
本発明の映像表示装置は、光源と、光源からの光を変調して映像を表示する表示素子と、表示素子からの映像光を回折反射して光学瞳に導く体積位相型の反射型ホログラム光学素子を有する接眼光学系とを備えた映像表示装置であって、光源は、少なくとも１つの波長領域に発光強度のピークを有しており、観察者が光学瞳の位置で映像を観察する映像観察状態で発光する光における、少なくともいずれかの波長領域において規格化された発光強度ピークの半値波長全幅をΔλViewとし、光学瞳の位置と観察者の瞳位置とを合わせる位置調整状態でのみ発光する光における、上記波長領域において規格化された発光強度ピークの半値波長全幅をΔλAli とすると、少なくともいずれかの波長領域について、
ΔλView＜ΔλAli 
を満足することを特徴としている。
【００１１】
上記の構成によれば、光源からの光は、表示素子にて変調され、映像光として射出された後、接眼光学系のホログラム光学素子（ＨＯＥ）で回折反射され、光学瞳に導かれる。したがって、光学瞳の位置では、観察者は表示素子の表示映像（虚像）を観察することができる。
【００１２】
ここで、少なくともいずれかの波長領域について（例えばＲＧＢの少なくともいずれかの波長領域について）、ΔλView＜ΔλAli を満足するので、ＨＯＥで回折されて光学瞳に到達する上記波長領域の光の瞳位置での到達面積（すなわち瞳サイズ）を、映像観察状態よりも位置調整状態で大きくすることができる。したがって、ＨＯＥとして角度選択性および波長選択性の高い反射型のものを用いた場合でも、観察者は位置調整状態において光学瞳を探しやすくなり、位置調整を容易に行うことが可能となる。
【００１３】
本発明の映像表示装置においては、少なくともいずれかの波長領域について、
２・ΔλView＜ΔλAli 
を満足することが望ましい。この場合、ＨＯＥで回折されて光学瞳に到達する光の瞳位置での到達面積を、映像観察状態よりも位置調整状態で十分に大きくすることができ、位置調整をさらに容易に行うことが可能となる。
【００１４】
本発明の映像表示装置においては、少なくともいずれかの波長領域について、ΔλViewの波長範囲は、ΔλAli の波長範囲に含まれていることが望ましい。この場合は、位置調整状態における光学瞳の瞳面での照度ピーク位置と、映像観察状態における光学瞳の瞳面での照度ピーク位置とのずれを小さく抑えることができる。これにより、位置調整状態において、光学瞳の位置を、映像観察状態で映像を明るく観察できるベストな位置に確実に近づけることができる。
【００１５】
本発明の映像表示装置において、光源は、少なくとも緑の波長領域に発光強度のピークを有しており、少なくとも緑の波長領域について条件を満足することが望ましい。Ｇは、ＢやＲに比べて人間の視感度が高く、色として認識されやすいので、位置調整を容易にかつ確実に行うことができる。
【００１６】
本発明の映像表示装置において、ｎを２以上の整数とすると、光源は、ｎ個の波長領域に発光強度のピークを有しており、ｎ−１個以下の波長領域について条件を満足することが望ましい。
【００１７】
ｎ個全部の波長領域ではなく、ｎ−１個以下の波長領域について、上述した本発明のいずれかの条件を満足することにより、観察者の瞳が光学瞳の中心に位置するときとその周辺に位置するときとで、観察者に異なる色を認識させることができる。これにより、観察者は、位置調整状態において、自らの瞳と光学瞳とをその瞳面上で正確に位置合わせしやすくなる。
【００１８】
本発明の映像表示装置において、上記光源は、第１の光源と第２の光源とを有しており、映像観察状態では、第１の光源を発光させる一方、位置調整状態では、少なくとも第２の光源を発光させる構成であってもよい。この構成によれば、光源の発光波長領域を、映像観察状態と位置調整状態とで容易に切り替えることができ、また、このような切り替えにより、ΔλView＜ΔλAli を容易に実現することができる。
【００１９】
本発明の映像表示装置において、位置調整状態では、第１の光源と第２の光源とを両方とも発光させてもよい。位置調整状態では、第２の光源のみを発光させる場合に比べて、光学瞳の瞳面の照度が高くなるので、観察者は光学瞳を見つけやすくなり、光学瞳の位置調整を容易に行うことができる。
【００２０】
本発明の映像表示装置において、位置調整状態では、第２の光源のみを発光させてもよい。位置調整状態では、第１の光源および第２の光源の両方を発光させる場合に比べて、消費電力を低減することができる。
【００２１】
本発明の映像表示装置において、第２の光源は、少なくともいずれかの波長領域について、第１の光源の発光強度ピークの波長を挟む２つの波長に発光強度のピークを有する光を発光してもよい。この場合は、発光強度ピーク１つあたりの半値波長全幅が元々狭い場合でも、第２の光源の発光特性として、少なくともいずれかの波長領域で広範囲にわたって高い発光強度を得ることができる。したがって、位置調整状態では、第２の光源の追加点灯、または切り替え点灯により、ΔλView＜ΔλAli を容易に実現することができる。
【００２２】
本発明の映像表示装置は、光源が発光する波長領域の一部の光のみを表示素子に導く波長制限フィルタと、映像観察状態では波長制限フィルタを光源と表示素子との間の光路中に配置する一方、位置調整状態では波長制限フィルタを上記光路中から取り除く駆動部とをさらに備えている構成であってもよい。
【００２３】
上記構成においては、映像観察状態では、光源が発光する波長領域の一部の光のみが波長制限フィルタを介して表示素子に導かれる。一方、位置調整状態では、駆動部によって波長制限フィルタが光路中から取り除かれるので、光源が発光する波長領域全体の光が表示素子に導かれる。したがって、このような波長制限フィルタの光路中への挿抜によっても、光源の発光波長領域を、映像観察状態と位置調整状態とで容易に切り替えることができ、また、このような切り替えにより、ΔλView＜ΔλAli を容易に実現することができる。
【００２４】
本発明の映像表示装置において、波長制限フィルタは、体積位相型の反射型ホログラム光学素子で構成されており、接眼光学系のホログラム光学素子と、波長制限フィルタを構成するホログラム光学素子とは、回折効率のピーク波長が一致していることが望ましい。
【００２５】
接眼光学系のＨＯＥと波長制限フィルタを構成するＨＯＥとで、回折主波長が一致していれば、光源が発光する光の利用効率を向上させることができ、映像観察状態において、明るく、高品位の映像を観察することが可能となる。
【００２６】
本発明の映像表示装置において、接眼光学系のホログラム光学素子は、表示素子からの映像光を回折反射させて光学瞳に導くと同時に、外光を透過させて光学瞳に導く構成であってもよい。体積位相型の反射型ホログラム光学素子は、反射波長域が狭く、外光の透過率が高い。したがって、映像観察状態において、観察者は、表示映像（虚像）を観察しながら、外界像をシースルーで観察することが可能となる。
【００２７】
本発明の映像表示装置において、接眼光学系のホログラム光学素子は、光源の発光強度のピーク波長に対応して、少なくとも１つの波長領域に回折効率のピークを有していることが望ましい。
【００２８】
例えば、光源がＧの波長領域のみに発光強度のピークを有しており、ＨＯＥもこれに対応してＧの波長領域のみに回折効率のピークを有していれば、観察者は光学瞳の位置でＧの映像を観察することができる。また、例えば、光源がＲＧＢの各波長領域に発光強度のピークを有しており、ＨＯＥもこれに対応してＲＧＢの各波長領域に回折効率のピークを有していれば、観察者は光学瞳の位置でカラー映像を観察することができる。
【００２９】
本発明のＨＭＤは、上述した本発明の映像表示装置と、上記映像表示装置を観察者の眼前で支持する支持手段とを有していることを特徴としている。この構成では、映像表示装置が支持手段にて支持されるので、観察者は映像表示装置から提供される映像をハンズフリーで長時間安定して観察することができる。
【００３０】
本発明のＨＭＤにおいて、上記支持手段は、接眼光学系の光学瞳の位置を観察者の瞳位置に合わせる位置調整を行った後に、観察者の頭部に対する接眼光学系の相対位置を固定する固定手段を有していることが望ましい。この構成では、固定手段により、光学瞳の位置調整後に、観察者の頭部に対する接眼光学系の相対位置が固定されるので、観察者は、光学瞳の位置にて、良好な映像を確実に観察することができる。
【発明の効果】
【００３１】
本発明によれば、少なくともいずれかの波長領域について、ΔλView＜ΔλAli を満足することにより、ＨＯＥで回折されて光学瞳に到達する上記波長領域の光の瞳位置での到達面積を、映像観察状態よりも位置調整状態で大きくすることができる。したがって、ＨＯＥとして反射型のものを用いた場合でも、観察者は位置調整状態において光学瞳を探しやすくなり、位置調整を容易に行うことが可能となる。
【発明を実施するための最良の形態】
【００３２】
〔実施の形態１〕
本発明の実施の一形態について、図面に基づいて説明すれば、以下の通りである。
【００３３】
（１．ＨＭＤの構成）
図２は、本実施形態に係るＨＭＤの概略の構成を示す斜視図である。ＨＭＤは、映像表示装置１と、支持手段２とで構成されている。
【００３４】
映像表示装置１は、観察者に外界像をシースルーで観察させるとともに、映像を表示して観察者にそれを虚像として提供するものである。この映像表示装置１は、後述する光源１１や表示素子１３（ともに図１（ａ）（ｂ）参照）などを収容する筐体３に接眼光学系４を一体化させて構成されている。光源１１や表示素子１３を制御するための信号や各部の駆動電力は、筐体３を貫通するケーブル５を介して各部に供給される。接眼光学系４は、全体として眼鏡の一方のレンズ（図２では右眼用レンズ）のような形状をなしている。なお、眼鏡の左眼用レンズに相当するレンズ６は、ダミーレンズである。
【００３５】
支持手段２は、映像表示装置１を観察者の眼前で支持する支持部材である。本実施形態では、支持手段２は、観察者の右眼に対応して１個の映像表示装置１を支持しているが、観察者の両眼に対応して２個の映像表示装置１を支持してもよい。この支持手段２は、眼鏡のフレームおよびテンプルに相当する部材と、固定機構７とを含んで構成されている。
【００３６】
固定機構７は、接眼光学系４の光学瞳（射出瞳）の位置を観察者の瞳（瞳孔、虹彩）の位置に合わせる位置調整を行った後に、観察者の頭部に対する接眼光学系４の相対位置を固定する固定手段であり、観察者の鼻と当接して移動可能な右鼻当て７Ｒおよび左鼻当て７Ｌと、これらをロックするロック部とを有して構成されている。支持手段２が固定機構７を有していることにより、光学瞳の位置調整後、観察者は、光学瞳の位置にて、良好な映像を確実にかつ安定して観察することができる。
【００３７】
（２．映像表示装置の構成について）
次に、上述した映像表示装置１の構成について説明する。なお、以下での説明の便宜上、観察者が光学瞳Ｅの位置に自分の瞳Ｐを合わせて映像を観察する状態を映像観察状態と称し、映像観察前に光学瞳Ｅの位置と観察者の瞳Ｐの位置とを合わせる位置調整を行う状態を位置調整状態と称することとする。
【００３８】
図１（ａ）は、本実施形態の映像表示装置１の位置調整状態での構成および光路を示す断面図であり、図１（ｂ）は、映像表示装置１の映像観察状態での構成および光路を示す断面図である。このように、映像表示装置１は、光源１１と、照明光学系１２と、表示素子１３と、接眼光学系４とを有している。
【００３９】
なお、説明の便宜上、方向を以下のように定義しておく。まず、表示素子１３の表示領域の中心と、接眼光学系４によって形成される光学瞳Ｅの中心とを光学的に結ぶ軸を光軸とする。そして、光源１１から光学瞳Ｅまでの光路を展開したときの光軸方向をＺ方向とする。また、接眼光学系４の後述するＨＯＥ２３の光軸入射面に垂直な方向をＸ方向とし、ＺＸ平面に垂直な方向をＹ方向とする。なお、ＨＯＥ２３の光軸入射面とは、ＨＯＥ２３における入射光の光軸と反射光の光軸とを含む平面、すなわち、ＹＺ平面を指す。なお、Ｘ、Ｙ、Ｚの各方向の正負は問わないものとする。
【００４０】
光源１１は、第１の光源１１ａと、第２の光源１１ｂと、それぞれの前面に配置される絞りとを有して構成されている。第１の光源１１ａおよび第２の光源１１ｂは、光学瞳Ｅとほぼ共役な位置に配置されている。第１の光源１１ａは、映像観察状態で発光し、位置調整状態では必要に応じて発光する光源である。一方、第２の光源１１ｂは、位置調整状態でのみ発光する光源である。本実施形態では、映像観察状態では、第１の光源１１ａのみを発光させ、位置調整状態では、第１の光源１１ａと第２の光源１１ｂとを両方とも発光させている。
【００４１】
図３は、第１の光源１１ａの発光特性を示しており、図４は、第２の光源１１ｂの発光特性を示している。第１の光源１１ａは、赤（Ｒ）、緑（Ｇ）、青（Ｂ）の波長領域に発光強度のピークを有する光を出射するものであり、ＲＧＢ一体型のＬＥＤで構成されている。第１の光源１１ａにおいて、発光強度がピークとなるときの波長は、例えば４６２ｎｍ、５２５ｎｍ、６３５ｎｍとなっている。一方、第２の光源１１ｂは、発光波長の広い白色ＬＥＤで構成されており、４５０ｎｍ付近と５５０ｎｍ付近、すなわち、ＢとＧの各波長領域に発光強度のピークを有する光を出射する。
【００４２】
ここで、映像観察状態で発光する光、すなわち、第１の光源１１ａが発光する光におけるＧの波長領域において規格化された発光強度ピークの半値波長全幅をΔλViewとし、位置調整状態でのみ発光する光、すなわち、第２の光源１１ｂが発光する光における、上記と同じＧの波長領域において規格化された発光強度ピークの半値波長全幅をΔλAli とすると、本実施形態では、例えば、ΔλView＝４０ｎｍ、ΔλAli ＝１１５ｎｍとなっている。つまり、Ｇの波長領域について、ΔλView＜ΔλAli となっており、発光強度ピークを規格化した状態での半値波長全幅が、映像観察状態よりも位置調整状態で広くなっている。
【００４３】
図１（ａ）（ｂ）に戻って説明を続ける。照明光学系１２は、光源１１から射出された光を表示素子１３に導くものであり、光路コンバイナ１２ａと、ミラー１２ｂとで構成されている。光路コンバイナ１２ａは、第１の光源１１ａおよび第２の光源１１ｂが発光した光を合成して出射するものであり、第１の光源１１ａからの光を透過させる一方、第２の光源１１ｂからの光を反射させて、両者の光を合成する。ミラー１２ｂは、入射光（光路コンバイナ１２ａを介して入射する光）を反射してＹＺ平面でのみ集光するシリンドリカル凹面ミラーで構成されている。なお、ミラー１２ｂの代わりに、平面の反射ミラーと、集光レンズとを用いてもよく、集光レンズのみを用いてもよい。
【００４４】
表示素子１３は、光源１１から照明光学系１２を介して入射する光を画像データに応じて変調して映像を表示するものであり、例えば複数の画素をマトリクス状に有する透過型のＬＣＤで構成されている。表示素子１３は、矩形の表示画面の長辺方向がＸ方向となり、短辺方向がＹ方向となるように配置されている。なお、表示素子１３は、反射型の光変調素子で構成されてもよい。
【００４５】
接眼光学系４は、表示素子１３からの映像光を光学瞳Ｅに導くとともに、外界像の光（外光）を光学瞳Ｅに導く光学系であり、接眼プリズム２１と、偏向プリズム２２と、ＨＯＥ２３とを有して構成されている。
【００４６】
接眼プリズム２１は、表示素子１３からの映像光を内部で全反射させてＨＯＥ２３に導くものであり、偏向プリズム２２とともに、例えばアクリル系樹脂で構成されている。この接眼プリズム２１は、平行平板の下端部を楔状にした形状で構成されている。接眼プリズム２１の上端面は、映像光の入射面としての面２１ａとなっており、前後方向に位置する２面は、互いに平行な面２１ｂ・２１ｃとなっている。
【００４７】
偏向プリズム２２は、平面視で略Ｕ字型の平行平板で構成されており（図２参照）、接眼プリズム２１の下端部および両側面部（左右の各端面）と貼り合わされたときに、接眼プリズム２１と一体となって略平行平板となるものである。偏向プリズム２２は、ＨＯＥ２３を挟むように接眼プリズム２１と接着して設けられている。これにより、接眼プリズム２１の楔状の下端部を外光が透過するときの屈折を偏向プリズム２２でキャンセルすることができ、シースルーで観察される外界像に歪みが生じるのを防止することができる。
【００４８】
ＨＯＥ２３は、表示素子１３からの映像光を回折反射させて光学瞳Ｅに導くと同時に、外光を透過させて光学瞳Ｅに導く体積位相型の反射型ホログラム光学素子であり、接眼プリズム２１において偏向プリズム２２との接合面に設けられている。ＨＯＥ２３は、特定の入射角で入射する光であって、回折主波長および半値波長全幅で例えば４６５±５ｎｍ（Ｂ光）、５２１±５ｎｍ（Ｇ光）、６３４±５ｎｍ（Ｒ光）の３つの波長域の光を回折反射させる角度選択性および波長選択性を有している。なお、回折主波長とは、回折効率がピークとなるときの波長を指し、半値波長全幅とは、回折効率がピークの半値となるときの波長幅を指す。
【００４９】
体積位相型の反射型ホログラム光学素子は、反射波長域が狭く、外光の透過率が高いので、これをＨＯＥ２３として用いることにより、観察者は、表示映像（虚像）を観察しながら、外界像をシースルーで観察することが可能となる。また、ＨＯＥ２３は、軸非対称な正の光学的パワーを有しており、正の光学的パワーを持つ非球面凹面ミラーと同様の機能を持っている。これにより、装置を構成する各光学部材の配置の自由度を高めて装置を容易に小型化することができるとともに、良好に収差補正された映像を観察者に提供することができる。
【００５０】
また、ＨＯＥ２３が、光源１１（少なくとも光源１１ａ）の発光強度のピーク波長に対応する波長領域（ここではＲＧＢの各領域）に回折効率のピークを有していることにより、ＨＯＥ２３でＲＧＢの光を効率よく回折させて光学瞳Ｅに導くことができ、観察者は光学瞳Ｅの位置でカラー映像を観察することが可能となる。
【００５１】
（３．映像表示装置の動作について）
次に、上記構成の映像表示装置１の動作について説明する。
まず、映像観察状態では、図１（ｂ）に示すように、第１の光源１１ａのみを点灯する。第１の光源１１ａから射出された光は、対応する絞りを通過した後、照明光学系１２の光路コンバイナ１２ａを透過し、ミラー１２ｂで反射されて表示素子１３に入射し、そこで変調されて映像光として出射される。
【００５２】
表示素子１３からの映像光は、接眼光学系４の接眼プリズム２１の内部に面２１ａから入射し、互いに対向する２つの面２１ｂ・２１ｃで複数回全反射されて、ＨＯＥ２３に入射する。ＨＯＥ２３に入射した光は、そこで回折反射されて光学瞳Ｅに達する。したがって、光学瞳Ｅの位置では、観察者は表示素子１３に表示された映像の拡大虚像を観察することができる。
【００５３】
一方、接眼プリズム２１、偏向プリズム２２およびＨＯＥ２３は、外光をほとんど全て透過させるので、観察者は外界像を観察することができる。したがって、表示素子１３に表示された映像の虚像は、外界像の一部に重なって観察されることになる。
【００５４】
上記の映像観察状態では、ＨＯＥ２３での回折波長の周辺の波長を有する光しか第１の光源１１ａから射出されないので、接眼光学系４の光学瞳Ｅの瞳面における実際の瞳サイズ（光の到達するサイズ）は、Ｙ方向で例えば３ｍｍ程度であり、かつ、瞳中心からＹ方向に遠ざかるに従って照度が急激に低下している。
【００５５】
そこで、位置調整状態では、図１（ａ）に示すように、第１の光源１１ａの点灯に加えて、発光波長が十分に広い第２の光源１１ｂを追加点灯する。第２の光源１１ｂから射出された光は、対応する絞りを通過した後、照明光学系１２の光路コンバイナ１２ａで反射されて、光路コンバイナ１２ａを透過する第１の光源１１ａからの光と合成され、その後、ミラー１２ｂで反射されて表示素子１３に入射する。以降については、映像観察状態と同様の光路を辿って光学瞳Ｅまで導かれる。
【００５６】
第２の光源１１ｂは、上述したように、ΔλView＜ΔλAli となるような光を発光するので、位置調整状態において、ＨＯＥ２３で回折されて光学瞳Ｅに到達する光の瞳位置での到達面積、すなわち、光学瞳Ｅの実際の瞳サイズを映像観察状態の３ｍｍよりも大きくすることができる。これにより、ＨＯＥ２３として角度選択性および波長選択性の高い反射型のものを用いた場合でも、位置調整状態で観察者は光が到達している場所（光学瞳Ｅの位置）を容易に探し出すことができ、光学瞳Ｅの位置と自分の瞳Ｐの位置とを合わせる位置調整を容易に行うことが可能となる。
【００５７】
特に、本実施形態では、ΔλView＝４０ｎｍ、ΔλAli ＝１１５ｎｍであり、２・ΔλView＜ΔλAli ともなっているので、ＨＯＥ２３で回折されて光学瞳Ｅに到達する光の瞳位置での到達面積を、映像観察状態よりも位置調整状態で十分に大きくすることができ、位置調整をさらに容易に行うことが可能となる。
【００５８】
また、図３および図４より、ΔλViewの波長範囲は５１０ｎｍ〜５５０ｎｍ（幅は４０ｎｍ）であり、ΔλAli の波長範囲は５１０ｎｍ〜６２５ｎｍ（幅は１１５ｎｍ）である。つまり、ΔλViewの波長範囲は、ΔλAli の波長範囲に含まれている。これにより、位置調整状態と映像観察状態とにおける、光学瞳Ｅの瞳面での照度ピーク位置のずれを小さく抑えることができる。その結果、位置調整状態において、光学瞳Ｅの位置を、映像観察状態で映像を明るく観察できるベストな位置に確実に近づけることができる。
【００５９】
ところで、本実施形態では、１つの波長領域（ここではＧの波長領域）について、ΔλView＜ΔλAli や２・ΔλView＜ΔλAli の関係を満たし、また、ΔλViewの波長範囲がΔλAli の波長範囲に含まれていることを示したが、ＢやＲの波長領域についても同様の条件を満足すれば、各波長領域の光について瞳サイズを大きくしたり、照度ピークの位置ずれを小さくすることができる。したがって、以上のことをまとめると、発光強度ピークを有する少なくともいずれかの波長領域について、ΔλView＜ΔλAli や２・ΔλView＜ΔλAli の関係を満たし、ΔλViewの波長範囲がΔλAli の波長範囲に含まれていればよいと言える。
【００６０】
また、本実施形態では、映像観察状態で第１の光源１１ａを発光させる一方、位置調整状態で少なくとも第２の光源１１ｂを発光させているので、光源１１の発光波長領域を、映像観察状態と位置調整状態とで容易に切り替えて、ΔλView＜ΔλAli を容易に実現することができる。特に、位置調整状態では、第１の光源１１ａと第２の光源１１ｂとを両方とも発光させているので、第２の光源１１ｂのみを発光させる場合に比べて、光学瞳Ｅの瞳面の照度が高くなる。これにより、位置調整状態において、観察者は光学瞳Ｅを見つけやすくなり、光学瞳Ｅの位置調整を容易に行うことができる。
【００６１】
なお、位置調整状態で光源１１の発光領域を広げることで、回折素子であるＨＯＥ２３を用いた接眼光学系４の結像性能は著しく劣化するが、位置調整状態では、接眼光学系４の光学瞳Ｅがどこにあるかをよりわかりやすくすることが重要であり、結像性能の劣化は問題にはならない。一方、映像観察状態では、第１の光源１１ａの点灯によって性能の良好な発光領域のみを使用するので、観察者は光学瞳Ｅの位置にて良好な映像を観察することができる。
【００６２】
〔実施の形態２〕
本発明の他の実施の形態について、図面に基づいて説明すれば、以下の通りである。なお、以下での説明の便宜上、実施の形態１と同一の構成には同一の部材番号を付記し、その説明を省略する。
【００６３】
図５（ａ）は、本実施形態の映像表示装置１の位置調整状態での構成および光路を示す断面図であり、図５（ｂ）は、映像表示装置１の映像観察状態での構成および光路を示す断面図である。本実施形態では、映像観察状態では第１の光源１１ａを発光させ、位置調整状態では第２の光源１１ｂのみを発光させる点で、実施の形態１とは異なっている。つまり、本実施形態の映像表示装置１は、映像観察状態と位置調整状態とで、点灯する光源を切り替える構成である。このような構成により、位置調整状態では、第１の光源１１ａおよび第２の光源１１ｂの両方を発光させる場合に比べて、消費電力を低減することができる。
【００６４】
ここで、図６は、本実施形態の第１の光源１１ａの発光特性を示しており、図７は、本実施形態の第２の光源１１ｂの発光特性を示している。第１の光源１１ａは、ＲＧＢの各波長領域に発光強度のピークを有する光を出射する。第１の光源１１ａにおいて、発光強度がピークとなるときの波長は、例えば４６０ｎｍ、５２０ｎｍ、６２０ｎｍとなっている。一方、第２の光源１１ｂは、Ｇの波長領域にのみ発光強度のピークを有する光を出射する単色光源で構成されており、例えば５２５ｎｍに発光強度のピークを有している。なお、ＨＯＥ２３は、第１の光源１１ａおよび第２の光源１１ｂの発光強度のピーク波長に対応する波長領域（ここではＲＧＢの各領域）に回折効率のピークを有しているものとする。
【００６５】
本実施形態では、例えば、Ｇの波長領域において、ΔλView＝２８ｎｍ、ΔλAli ＝４２ｎｍとなっている。つまり、Ｇの波長領域について、ΔλView＜ΔλAli となっている。また、ΔλViewの波長範囲は５０５ｎｍ〜５３３ｎｍ（幅は２８ｎｍ）であり、ΔλAli の波長範囲は５００ｎｍ〜５４２ｎｍ（幅は４２ｎｍ）である。つまり、ΔλViewの波長範囲は、ΔλAli の波長範囲に含まれている。
【００６６】
このように、Ｇの波長領域について、発光強度ピークを規格化した状態での半値波長全幅が、映像観察状態よりも位置調整状態で広くなっているので、Ｇの色については、位置調整状態における光学瞳Ｅのサイズを映像観察状態よりも大きくすることができる。その結果、実施の形態１と同様に、反射型のＨＯＥ２３を用いた構成でも、光学瞳Ｅの位置調整を容易に行うことが可能となる。
【００６７】
また、Ｇの波長領域について、ΔλViewの波長範囲は、ΔλAli の波長範囲に含まれているので、位置調整状態と映像観察状態とにおける、光学瞳Ｅの瞳面での照度ピーク位置のずれを小さく抑えることができる。その結果、位置調整状態において、光学瞳Ｅの位置を、映像観察状態で映像を明るく観察できるベストな位置に確実に近づけることができる。
【００６８】
また、第２の光源１１ｂは、Ｇの波長領域にのみ発光強度のピークを有しており、このＧの波長領域についてのみ、ΔλView＜ΔλAli を満足している。Ｇは、ＢやＲに比べて人間の視感度が高く、色として認識されやすい。よって、Ｇの色に基づいて位置調整を行うことにより、光学瞳Ｅの位置調整を容易にかつ確実に行うことができる。なお、この効果は、第２の光源１１ｂが少なくともＧの波長領域に発光強度のピークを有していれば得ることができ、例えばＢの波長領域にも発光強度のピークを有し、かつ、そのＢの波長領域でΔλView＜ΔλAli を満足していても構わない。
【００６９】
ところで、本実施形態では、映像観察状態と位置調整状態とで、点灯する光源を切り替える例について説明したが、実施の形態１と同様に、位置調整状態において、第１の光源１１ａに加えて第２の光源１２ｂを追加点灯する構成としてもよい。第１の光源１１ａおよび第２の光源１１ｂが、それぞれ図６および図７の発光特性を有している場合に、位置調整状態で第２の光源１１ｂを追加点灯することにより、観察者の瞳Ｐが光学瞳Ｅの中心に位置するときとその周辺に位置するときとで、観察者に異なる色を認識させることができ、正確な位置合わせが可能となる。
【００７０】
つまり、光学瞳Ｅの中心に観察者の瞳Ｐが位置している場合には、第１の光源１１ａの点灯による白色と第２の光源１１ｂの点灯による緑色とを合成した色が観察者に認識される。これに対して、光学瞳Ｅの瞳面上で周辺位置に観察者の瞳Ｐが位置している場合には、第１の光源１１ａの点灯による白色光（ＲＧＢの各光）が、ＨＯＥ２３で高い回折効率で回折されて入射しないため、発光波長の広い第２の光源１１ｂの点灯による緑色のみが観察者に認識される。
【００７１】
このように、光学瞳Ｅの瞳面上での観察者の瞳Ｐの位置に応じて、観察者に認識される色が異なるので、観察者は、位置調整状態において、自らの瞳Ｐと光学瞳Ｅとをその瞳面上で正確に位置合わせしやすくなる。
【００７２】
また、本実施形態のように、位置調整状態では、第２の光源１１ｂとして単色を発光する光源を追加することで容易にΔλView＜ΔλAli 等の条件を満足することができるので、安価な構成で位置調整を実現することが可能となる。
【００７３】
なお、位置調整状態で第２の光源１１ｂを追加点灯する場合、ｎを２以上の整数とすると、ｎ個全部の波長領域ではなく、ｎ−１個以下の波長領域について、ΔλView＜ΔλAli 等の条件を満足すれば、光学瞳Ｅの瞳面上での位置に応じて観察者に異なる色を認識させることができるので、正確な位置合わせが可能となる効果を得ることができる。
【００７４】
以上では、位置調整状態で発光する第２の光源１１ｂが、１つの波長領域（例えばＧの波長領域）において１つの発光強度ピークを有する例について説明したが、１つの波長領域において複数の発光強度ピークを有していてもよい。
【００７５】
例えば、図８は、第１の光源１１ａの発光特性を示しており、図９は、第２の光源１１ｂの発光特性を示している。図８に示すように、第１の光源１１ａが例えばＲの波長領域に発光強度のピークを有している場合には、図９に示すように、第２の光源１１ｂは、Ｒの波長領域において、第１の光源１１ａの発光強度ピークの波長を挟む２つの波長に発光強度のピークを有する光を発光してもよい。
【００７６】
この場合は、発光強度ピーク１つあたりの半値波長全幅が元々狭い場合でも、第２の光源１１ｂの発光特性として、Ｒの波長領域で広範囲にわたって高い発光強度を得ることができる。よって、位置調整状態では、第２の光源１１ｂの追加点灯、または切り替え点灯により、ΔλView＜ΔλAli を容易に実現することができる。なお、このときのΔλAli は、図９に示すように、Ｒの波長領域において発光強度をピークのより高いほうで規格化したときの半値波長全幅を考えればよい。ちなみに、図８のΔλViewは例えば１８ｎｍであり、図９のΔλAli は例えば４０ｎｍである。
【００７７】
なお、図８および図９では、Ｒの波長領域を例に挙げて説明したが、第１の光源１１ａの発光強度がピークとなる波長領域に対応さえしていれば、どの波長領域についても上記と同様に考えることができ、その結果、上記と同様の効果を得ることができる。つまり、少なくともいずれかの波長領域について、第２の光源１１ｂは、第１の光源１１ａの発光強度ピークの波長を挟む２つの波長に発光強度のピークを有する光を発光すれば、上記と同様の効果を得ることができる。
【００７８】
〔実施の形態３〕
本発明のさらに他の実施の形態について、図面に基づいて説明すれば、以下の通りである。なお、以下での説明の便宜上、実施の形態１・２と同一の構成には同一の部材番号を付記し、その説明を省略する。
【００７９】
図１０（ａ）は、本実施形態の映像表示装置１の位置調整状態での構成および光路を示す断面図であり、図１０（ｂ）は、映像表示装置１の映像観察状態での構成および光路を示す断面図である。本実施形態では、映像観察状態では第１の光源１１ａを発光させ、位置調整状態では第１の光源１１ａおよび第２の光源１１ｂを両方発光させている。つまり、本実施形態の映像表示装置１は、位置調整状態において、第１の光源１１ａに加えて第２の光源１１ｂを追加点灯する構成である。ただし、本実施形態の第２の光源１１ｂは、実施の形態１の第２の光源１１ｂと同じもの（すなわち白色光源）であり、図４と同じ発光特性を有している。
【００８０】
ここで、図１１は、本実施形態の第１の光源１１ａの発光特性を示している。第１の光源１１ａは、Ｇの波長領域にのみ発光強度のピークを有する光を出射する単色光源である。第１の光源１１ａにおいて、発光強度がピークとなるときの波長は、例えば５３０ｎｍとなっている。なお、ＨＯＥ２３は、第１の光源１１ａおよび第２の光源１１ｂの発光強度のピーク波長に対応する波長領域（ここではＲＧＢの各領域）に回折効率のピークを有しているものとする。
【００８１】
本実施形態では、例えば、Ｇの波長領域において、ΔλView＝４２ｎｍ、ΔλAli ＝１１５ｎｍとなっている。つまり、Ｇの波長領域について、ΔλView＜ΔλAli となっている。また、ΔλViewの波長範囲は５１０ｎｍ〜５５２ｎｍ（幅は４２ｎｍ）であり、ΔλAli の波長範囲は５１０ｎｍ〜６２５ｎｍ（幅は１１５ｎｍ）である。つまり、ΔλViewの波長範囲は、ΔλAli の波長範囲に含まれている。
【００８２】
このように、本実施形態では、Ｇの波長領域について、ΔλView＜ΔλAli および２・ΔλView＜ΔλAli を満足しているので、映像観察用の第１の光源１１ａが単色光源で構成されている場合でも、光学瞳Ｅの位置調整が容易となる実施の形態１または２と同様の効果を得ることができる。また、Ｇの波長領域について、ΔλViewの波長範囲がΔλAli の波長範囲に含まれているので、光学瞳Ｅの瞳面での照度ピーク位置のずれを小さく抑えて、位置調整状態において、光学瞳Ｅの位置をベストな位置に確実に近づけることができる。
【００８３】
なお、本実施形態では、第２の光源１１ｂとして白色光源を用いているが、第１の光源１１ａがＧの単色光源であるので、それに合わせてＧの単色光源を用いてもよい。この場合、第１の光源１１ａと第２の光源１１ｂとで、発光主波長（発光強度がピークとなる波長）を同じまたは近傍とし、ΔλView＜ΔλAli を満足すれば、本実施形態と同様の効果を得ることができる。ただし、第２の光源１１ｂを単色光源で構成した場合は、位置調整状態における光学瞳Ｅのサイズは、白色光源で構成した場合ほど大きくはならない。
【００８４】
〔実施の形態４〕
本発明のさらに他の実施の形態について、図面に基づいて説明すれば、以下の通りである。なお、以下での説明の便宜上、実施の形態１〜３と同一の構成には同一の部材番号を付記し、その説明を省略する。
【００８５】
図１２（ａ）は、本実施形態の映像表示装置１の位置調整状態での構成および光路を示す断面図であり、図１２（ｂ）は、映像表示装置１の映像観察状態での構成および光路を示す断面図である。本実施形態の映像表示装置１は、バンドパスフィルタ（以下、ＢＰＦとも称する）１４と、駆動部１５とをさらに有しており、光源１１を第１の光源１１ａのみで構成し、照明光学系１２の光路コンバイナ１２ａを省いた以外は、実施の形態１と同様の構成である。
【００８６】
ＢＰＦ１４は、光源１１が発光する波長領域の一部の光のみを表示素子１３に導く波長制限フィルタであり、例えば干渉フィルタや光学フィルタで構成され、光源１１と絞りとの間に配置されている。駆動部１５は、映像観察状態ではＢＰＦ１４を光源１１と表示素子１３との間の光路中に配置する一方、位置調整状態ではＢＰＦ１４を上記光路中から取り除くものであり、例えば上記光路を横切る方向にＢＰＦ１４を回転させるモータや、ＢＰＦ１４をスライドさせる機構で構成されている。なお、図１２（ａ）では、便宜上、ＢＰＦ１４および駆動部１５の図示を省略している。
【００８７】
光源１１は、実施の形態２の第２の光源１１ｂと同じ発光特性（図７参照）を有するもので構成されている。つまり、光源１１は、Ｇの波長領域にのみ発光強度のピークを有する光を出射する単色光源で構成されており、例えば５２５ｎｍに発光強度のピークを有している。なお、ＨＯＥ２３は、光源１１の発光強度のピーク波長に対応するＧの波長領域に回折効率のピークを有しているものとする。
【００８８】
図１２（ｂ）に示す映像観察状態では、光源１１が発光する波長領域の一部の光のみがＢＰＦ１４を介して表示素子１３に導かれる。この結果、図１３に示すように、ＢＰＦ１４を透過した光（Ｇ光）について、ΔλViewは２０ｎｍとなっている。一方、図１２（ａ）に示す位置調整状態では、駆動部１５によってＢＰＦ１４が光路中から取り除かれるので、光源１１が発光する波長領域全体の光が表示素子１３に導かれる。この結果、ΔλAli は、４２ｎｍとなっている（図７参照）。なお、ＢＰＦ１４は、光源１１が発光する波長領域の一部（幅）を制限するので、ΔλViewの波長範囲がΔλAli の波長範囲に含まれることは明らかである。
【００８９】
本実施形態のように、ＢＰＦ１４の光路中への挿抜によっても、光源１１の発光波長領域を、映像観察状態と位置調整状態とで容易に切り替えることができ、しかも、ΔλView＜ΔλAli を容易に実現することができる。よって、本実施形態の構成によっても、位置調整を容易に行うことができる。
【００９０】
また、本実施形態では、光源１１は、第１の光源１１ａの１個のみで構成されており、実施の形態１〜３のように、位置調整用の光源を別途配置する必要がなくなる。これにより、照明光学系１２の光路コンバイナ１２ａも不要となり、装置の構成部品を大幅に減らすことができる。
【００９１】
ところで、図１４（ａ）は、映像表示装置１の位置調整状態での他の構成および光路を示す断面図であり、図１４（ｂ）は、映像表示装置１の映像観察状態での他の構成および光路を示す断面図である。この映像表示装置１では、上記のＢＰＦ１４を体積位相型の反射型ホログラム光学素子で構成している。ＢＰＦ１４を構成するＨＯＥは、接眼光学系４のＨＯＥ２３と回折主波長（回折効率のピーク波長）が一致している。また、駆動部１５は、映像観察状態では、ＢＰＦ１４を光路中に配置する一方、位置調整状態では、ＢＰＦ１４の代わりに反射ミラー１６を光路中に配置する。
【００９２】
つまり、映像観察状態では、光源１１からの光をＢＰＦ１４で回折反射させて表示素子１３に導く一方、位置調整状態では、光源１１からの光を反射ミラー１６で反射させて表示素子１３に導くように、駆動部１５によって、光路中への反射ミラー１６またはＢＰＦ１４の配置およびその切り替えが行われる。
【００９３】
このように、ＢＰＦ１４をＨＯＥで構成することによっても、位置調整状態での光学瞳Ｅのサイズが映像観察状態よりも大きくなるので（図１４（ａ）（ｂ）参照）、図１２（ａ）（ｂ）の構成と同様の効果を得ることができる。特に、ＢＰＦ１４のＨＯＥと接眼光学系４のＨＯＥ２３とで回折主波長が一致しているので、光源１１が発光する光の利用効率を向上させることができ、映像観察状態において、明るく、高品位の映像を観察することが可能となる。
【００９４】
なお、上述した各実施の形態の構成を適宜組み合わせて、映像表示装置１ひいてはＨＭＤを構成したり、光学瞳Ｅの位置調整を行うことも勿論可能である。
【産業上の利用可能性】
【００９５】
本発明は、ＨＭＤに利用可能である。
【図面の簡単な説明】
【００９６】
【図１】（ａ）は、本発明の実施の一形態に係る映像表示装置の位置調整状態での構成および光路を示す断面図であり、（ｂ）は、映像表示装置の映像観察状態での構成および光路を示す断面図である。
【図２】上記映像表示装置を有するＨＭＤの概略の構成を示す斜視図である。
【図３】上記映像表示装置に適用される第１の光源の発光特性を示す説明図である。
【図４】上記映像表示装置に適用される第２の光源の発光特性を示す説明図である。
【図５】（ａ）は、本発明の他の実施の形態に係る映像表示装置の位置調整状態での構成および光路を示す断面図であり、（ｂ）は、映像表示装置の映像観察状態での構成および光路を示す断面図である。
【図６】上記映像表示装置に適用される第１の光源の発光特性を示す説明図である。
【図７】上記映像表示装置に適用される第２の光源の発光特性を示す説明図である。
【図８】第１の光源の他の発光特性を示す説明図である。
【図９】第２の光源の他の発光特性を示す説明図である。
【図１０】（ａ）は、本発明のさらに他の実施の形態に係る映像表示装置の位置調整状態での構成および光路を示す断面図であり、（ｂ）は、映像表示装置の映像観察状態での構成および光路を示す断面図である。
【図１１】上記映像表示装置に適用される第１の光源の発光特性を示す説明図である。
【図１２】（ａ）は、本発明のさらに他の実施の形態に係る映像表示装置の位置調整状態での構成および光路を示す断面図であり、（ｂ）は、映像表示装置の映像観察状態での構成および光路を示す断面図である。
【図１３】上記映像表示装置のＢＰＦを透過した光の強度特性を示す説明図である。
【図１４】（ａ）は、映像表示装置の位置調整状態での他の構成および光路を示す断面図であり、（ｂ）は、映像表示装置の映像観察状態での他の構成および光路を示す断面図である。
【図１５】露光光源を光学瞳の中心に配置して作製した反射型ＨＯＥの回折効率の波長特性を示す説明図である。
【図１６】照明光源の発光特性を示す説明図である。
【図１７】光学瞳面での照度分布を示す説明図である。
【符号の説明】
【００９７】
１      映像表示装置
２      支持手段
４      接眼光学系
７      固定機構（固定手段）
１１      光源
１１ａ    第１の光源
１１ｂ    第２の光源
１３      表示素子
１４      ＢＰＦ（波長制限フィルタ）
１５      駆動部
２３      ＨＯＥ（ホログラム光学素子）
Ｅ      光学瞳
Ｐ      観察者の瞳
ΔλView      半値波長全幅
ΔλAli       半値波長全幅
【図１】
2009157026.tif 000003
【図２】
2009157026.tif 000004
【図３】
2009157026.tif 000005
【図４】
2009157026.tif 000006
【図５】
2009157026.tif 000007
【図６】
2009157026.tif 000008
【図７】
2009157026.tif 000009
【図８】
2009157026.tif 000010
【図９】
2009157026.tif 000011
【図１０】
2009157026.tif 000012
【図１１】
2009157026.tif 000013
【図１２】
2009157026.tif 000014
【図１３】
2009157026.tif 000015
【図１４】
2009157026.tif 000016
【図１５】
2009157026.tif 000017
【図１６】
2009157026.tif 000018
【図１７】
2009157026.tif 000019